(57)【特許請求の範囲】
【請求項１】
構築物や建築物の外表面に、モノフィラメントが集積されてなる粗目構造体よりなる排水材、つる忌避剤を付着させた防つるシート及び緊締帯が順に積層され、該排水材及び該防つるシートは、該緊締帯によって、該構築物や建築物の外表面に圧着していることを特徴とする構築物や建築物への防つる付設構造。
【請求項２】
排水材は、モノフィラメントが集積されてなる粗目構造体であって、該モノフィラメント同士が交差して形成された融着部を多数持ち、各融着部における該モノフィラメントの重合本数は２〜５本であると共に、該粗目構造体の厚み方向における該融着部の数が１〜２個である請求項１記載の構築物や建築物への防つる付設構造。
【請求項３】
粗目構造体の平面方向における融着部の数が、３〜１０個／ｃｍ2である請求項２記載の構築物や建築物への防つる付設構造。
【請求項４】
モノフィラメントがポリプロピレンモノフィラメントである請求項２記載の構築物や建築物への防つる付設構造。
【請求項５】
モノフィラメントの径が０．５〜１ｍｍである請求項２記載の構築物や建築物への防つる付設構造。
【請求項６】
粗目構造体の厚さが２ｍｍである請求項２記載の構築物や建築物への防つる付設構造。
【請求項７】
防つるシートが、不織布にクロロトリルオキシプロピオン酸ポリグリコールエステルよりなるつる忌避剤を付着させたものである請求項１記載の構築物や建築物への防つる付設構造。
【請求項８】
不織布がポリエステルスパンボンド不織布である請求項７記載の構築物や建築物への防つる付設構造。
【請求項９】
不織布を構成している長繊維中に、カーボンブラック粉末が混練されている請求項７記載の構築物や建築物への防つる付設構造。
【発明の詳細な説明】
【技術分野】
【０００１】
本発明は、土地の上に定着する構築物や建築物（以下、まとめて「構築物等」という。）の外表面に、つる植物が這い登るの防止するための付設構造に関し、特に構築物等の外表面に、排水材と防つるシートとを止着した防つる付設構造に関するものである。
【背景技術】
【０００２】
ヘデラやポトス等のつる植物は、茎から根を出して生育し、構築物等に張り付いて這い登る性質を持っている。つる植物が這い登った構築物等は、つる植物によって損傷を受ける恐れがあるため、それを取り除く維持管理が必要となる。
【０００３】
一方、つる植物の生育を抑制するために、シートにつる忌避剤（根忌避剤でもある。）を含浸又は付着させた防つるシートが知られている（特許文献１）。したがって、構築物等の外表面に、防つるシートを当接させておけば、つる植物が構築物等に張り付いて這い登るのを防止することができると考えられる。
【０００４】
たとえば、構築物等の支柱に、つる植物が這い登るのを防止するためには、支柱の根元に防つるシートを巻回しておけばよいと考えられる。そして、防つるシートを固定するために、防つるシートの上から、緊締帯で縛るか又は緊締帯を鋲着して、緊締帯を圧着させておけばよいと考えられる。
【０００５】
【特許文献１】特開２００２−３３５７６２号公報
【発明の開示】
【発明が解決しようとする課題】
【０００６】
しかしながら、緊締帯を圧着させておくと、防つるシートと支柱の間に侵入した水が緊締部に貯留するということがあった。水が貯留すると、支柱が錆びたり又は腐る恐れがあり、構築物等に損傷を与えるという欠点があった。そこで、本発明は、防つるシートと支柱の間に侵入した水が貯留しないようにすることを課題とする。
【課題を解決するための手段】
【０００７】
かかる課題を解決するために、本発明は、防つるシートと支柱の間に排水材を挟着したものである。すなわち、本発明は、構築物や建築物の外表面に、モノフィラメント構造体よりなる排水材、つる忌避剤を付着させた防つるシート及び緊締帯が順に積層され、該排水材及び該防つるシートは、該緊締帯によって、該構築物や建築物の外表面に圧着していることを特徴とする構築物や建築物への防つる付設構造に関するものである。
【０００８】
まず、本発明で用いる排水材１２について説明する。この排水材１２は、図１に示す如くモノフィラメントが集積されてなる粗目構造体よりなる。図１中、白色部の線状物がモノフィラメント１であり、黒色部が空隙である。したがって、モノフィラメント１が集積されてなり、多数の空隙を持つ粗目構造体となっている。そして、この粗目構造により排水材１２として機能を発揮するものである。
【０００９】
モノフィラメント１の径は、０．５〜１ｍｍ程度である。モノフィラメント１の径が０．５ｍｍ未満になると、モノフィラメント１の剛性が低下して、緊締帯３によって構築物等の外表面に圧着されたとき、押し潰され易くなり、排水性能が低下するので好ましくない。また、モノフィラメント１の径が１ｍｍを超えると、剛性が高くなりすぎて、支柱１１等に巻回しにくくなるので、好ましくない。モノフィラメント１を構成する素材としては、従来公知の合成樹脂が用いられ、たとえばポリプロピレン等が用いられる。
【００１０】
粗目構造体は、モノフィラメント１同士が交差して形成された融着部２を多数持ち、この融着部２によって、形態安定性が維持されている。融着部２は、モノフィラメント１が２〜５本重合して形成されている。融着部２におけるモノフィラメント１の重合本数が５本を超えると、粗目構造体の厚さが厚くなって、押し潰され易くなったり、或いは剛性が高くなりすぎたり、或いは空隙が小さくなって排水性能が低下する恐れがあるので、好ましくない。
【００１１】
粗目構造体の平面方向における融着部２の数は、３〜１０個／ｃｍ2である。融着部２の数が３個／ｃｍ2未満になると、融着部２の数が少なすぎて、形態安定性が低下する恐れがある。また、融着部２の数が１０個／ｃｍ2を超えると、粗目構造体の剛性が高くなりすぎたり、或いは空隙が小さくなって排水性能が低下する恐れがあるので、好ましくない。
【００１２】
粗目構造体の厚み方向における融着部２の数は、１〜２個である。融着部２の数が２個を超えると、粗目構造体の厚さが厚くなって、押し潰され易くなったり、又は剛性が高くなるので好ましくない。粗目構造体の厚みは約２ｍｍ程度であるのが最も好ましい。なお、厚みは、面積が１０ｃｍ2の加圧子を用いて、９．８ｋＰａの圧力を負荷して測定したものである。
【００１３】
次に、本発明で用いるつる忌避剤を付着させた防つるシート１３について説明する。この防つるシート１３は、不織布、編織物又は紙等のシート基材に、つる忌避剤を付着させたものである。シート基材としては、高強度で安価な不織布を用いるのが好ましい。不織布としては、ポリエステル長繊維が集積されてなるポリエステルスパンボンド不織布を用いるのが好ましい。ポリエステル長繊維は耐候性に優れていると共に、強度の点でも優れているからである。耐候性を向上させるために、さらにポリエステル長繊維中にカーボンブラック粉末を混練しておくのが好ましい。カーボンブラックは紫外光の吸収能に優れているため、カーボンブラック粉末が混練されたポリエステル長繊維は、紫外線に対する劣化が抑制される。したがって、カーボンブラック粉末が混練されているポリエステル長繊維を構成繊維とするスパンボンド不織布につる忌避剤を含有させた防つるシート１３は、それ単独で構築物や建築物の外表面に当接して使用することも可能である。
【００１４】
つる忌避剤としては、従来公知の薬剤を用いることができるが、特にクロロトリルオキシプロピオン酸ポリグリコールエステルを用いるのが好ましい。クロロトリルオキシプロピオン酸ポリグリコールエステルは、バイエル社より商品名「プリベントールＢ２」として市販されているので、容易に入手しうるものである。
【００１５】
シート基材につる忌避剤を付着させることにより、防つるシート１３が得られるわけであるが、つる忌避剤の付着量は、シート基材１００質量部に対して、１０〜２０質量部であるのが好ましい。付着方法としては、シート基材につる忌避剤を含有する溶液を含浸及び／又は塗布し乾燥すればよい。特に、多量のつる忌避剤をシート基材に付着させるには、つる忌避剤を含有するバインダー溶液をシート基材に含浸させた後乾燥し、さらにその後、つる忌避剤を含有する塗工液を塗布する方法を採用するのが好ましい。バインダー溶液としては、ポリエステル系樹脂が溶解又は分散されているものが用いられる。また、塗工液としては、アクリル系樹脂が溶解又は分散されているものが用いられる。
【００１６】
次に、本発明で用いる緊締帯３としては、防つるシート１３及び排水材１２を構築物等の外表面に圧着できるものであれば、どのようなものでも用いられる。たとえば、金属製紐，金属製帯，プラスチック製紐又はプラスチック製帯等が用いられる。また、金属製プレートやプラスチック製プレートのような幅広のものであっても、緊締帯３として用いられる。
【００１７】
以上説明したモノフィラメントが集積されてなる粗目構造体よりなる排水材１２、つる忌避剤を付着させた防つるシート１３及び緊締帯３を用いて、本発明に係る防つる付設構造が得られる。この防つる付設構造の具体例は、図２及び図３で示した構造となっている。図２は、構築物等の一例である支柱１１に、防つる付設構造を適用した概略図である。図３は、図２のＡで示した箇所の部分拡大断面図である。図３は、支柱１１の外表面に、排水材１２、防つるシート１３及び緊締帯３の順に積層された防つる付設構造を示したものである。そして、緊締帯３によって、排水材１２及び防つるシート１３は、支柱１１の外表面に圧着し固定されているのである。
【発明の効果】
【００１８】
本発明に係る防つる付設構造は、構築物等の外表面と防つるシートの間に、モノフィラメントが集積されてなる粗目構造体よりなる排水材が挟着されているので、雨水が構築物等の外表面と防つるシートの間に侵入しても、緊締部に貯留されることなく、排水材を通って下方に排水される。したがって、緊締部に雨水が貯留して、構築物等が錆びたり又は腐ったりするのを防止しうるという効果を奏する。
【００１９】
また、排水材として、モノフィラメント同士が交差して形成された融着部を多数持ち、各融着部におけるモノフィラメントの重合本数は２〜５本であると共に、粗目構造体の厚み方向における融着部の数が１〜２個であるものを採用すると、排水材が構築物等の外表面に強く圧着されても、押し潰されにくく、当初の空隙がそのまま維持されるので、排水性能が低下しにくいという効果を奏する。
【００２０】
また、防つるシートとして、カーボンブラック粉末が混練されたポリエステル長繊維よりスパンボンド不織布に、クロロトリルオキシプロピオン酸ポリグリコールエステルよりなるつる忌避剤を付着させたものを用いると、防つる性に優れると共に、耐候性及び強度に優れており、長期間の使用に耐え得るという効果を奏する。
【図面の簡単な説明】
【００２１】
【図１】本発明で用いる排水材の一例を示す平面図である。
【図２】構築物等に本発明の一例に係る付設構造が適用されている状態を示した概略図である。
【図３】図２のＡを拡大しその断面を示した部分拡大断面図である。
【符号の説明】
【００２２】
１    モノフィラメント
２    融着部
３    緊締帯
１１  支柱
１２  排水材
１３  防つるシート
【図１】
0005535019.tif 000002
【図２】
0005535019.tif 000003
【図３】
0005535019.tif 000004